(57)【要約】【課題】本発明の卓上ピンポイント掃除器は、簡単な原理で、机、卓上等のゴミが、簡単に吸い取れ、部分が取りはずせ洗う事ができる卓上ピンポイント掃除器。【解決手段】真空のポンプの原理を応用して、手元に硬質のゴムの空気袋を取り付けて、ポンプアップする事で、ゴミを吸い上げ、硬質ビニール板を取り付ける事で、ゴミの逆流を防止して、直下の硬質のゴムの空気袋にゴミが留まり、取りはずしが、でき、ゴミを捨てる事ができる卓上ピンポイント掃除器。【選択図】図１
2019141554.tif 000002
【特許請求の範囲】
【請求項１】
ゴムで作られた袋状のポンプと、ドレンと空気抜き弁とを設置した空気溜めと、吸盤状の吸い口とを有し
前記吸い取り口は配管によって空気溜めに接続させておりともに、接続口には逆上弁を有することを特徴とする卓上ピンポイント掃除器。
【請求項２】
前記吸い取り口用配管と掻取器とを接続したことを、特徴とする請求項１に記載の卓上ピンポイント掃除器。
【発明の詳細な説明】
【技術分野】
【０００１】本明は卓上ピンポイント掃除器に関する
【背景技術】
【０００２】本発明は、卓上ピンポイント掃除器はポンプの位置を空気吸い溜まりに直角の位置に設置することで容易にゴミが吸い取れ吸い上げ口が広角で本体より直下にある為にゴミの落下の空気袋が取りはずせ、洗うことができる卓上ピンポイント掃除器。
【先行技術文献】
【特許文献】
【０００３】
【特許文献１】特開２００６−２１８３４
【特許文献２】特開２００３−３３９５８
【発明の概要】
【発明が解決しようとする課題】
【０００４】従来の小型掃除器はゴム容体が全体が平行に接続されている為扱いづらく吸い込み口が直接接続されている為に平行でゴミが吸い取りにくい構造である。
【課題を解決するための手段】
【０００５】ゴムで作られた袋状のポンプとドレンと空気抜き弁とを設置した空気溜めと吸盤状の吸い取り口を有し、前記ポンプには配管口によって空気溜めに接続させてあり、吸い取り口は配管口によって空気溜めに接続されるとともに、該接口には逆上弁を有することを特徴とする卓上ピンポイント掃除器。
【発明の効果】
【０００６】本発明は吸い上げ空気袋が直角に下にある為にピストル型のように容易に手で扱い易く吸い口も広角で吸い上げ易く掻き取り器を有するのでゴミを集めて、吸い上げが可能となる。
【図面の簡単な説明】
【０００６】
【図１】本発明の全体構成集塵
【図２】消しゴムかす、食べこぼしを集塵するゴム板
【発明を実施するための形態】
【０００７】ポンプ１は  硬質ゴムで作られた、掴み易く突起の付いた袋状の構造である。
配管２は  掻き取り硬化ゴムに接続する硬化ビニール管である。
ドレン３は  ゴム袋で作られたゴミ袋である。
空気袋４は  硬化ビニールで球体で構成
弁機柄５は  硬化ビニールを網目状にした空気の俳出口弁機柄
空気止め６は  硬化ビニール板で空気の流れを下方に落とす逆
ドレン７は  掻き取りゴムと硬化ビニール管を接合する穴
ドレン８は  掻き取る為の硬化ゴム
配管９は  硬化ビニール管でゴミを吸い取る管
受け止め口１０は  球体の硬化ビニールを接続し、取りはずし可能な取付部分
空気袋１１は  球体の中の空気溜まり
配管先１２は  吸盤状の硬化ビニール口
接合部分１３は  硬化ビニール板  空気流入の落下させる接合部分
空気止め１４は  硬化ビニール板で空気の流入を落下させる逆上弁
受け止め口１５は  ポンプと配管の接続口
【実施例】
【０００８】本発明は簡易な原理で、硬質ゴムの空気袋をポンプアップしてゴミを吸い取り、硬質ビニール板により、ゴミの逆流を防止して、直下のゴミ溜として、硬質ゴムの空気袋を取り付けて、ゴミ溜を取りはずしができて洗う事ができる。
【符号の説明】
【０００９】１  突起つき硬質ゴムの空気袋
２  ビニール管
３  硬質ゴムのゴミ取り空気袋
４  硬質ビニール製の空気袋
５  空気の俳出口  弁機・柄
６  硬化ビニール板
７  ゴミの掃き取りゴムとビニール管を通す穴接合部分回転自由
８  ゴムの掃き取り板
９  ビニール管
１０  本体の硬化ビニールと硬化ゴムの空気袋との接続部分
１１  内部空気
１２  ゴミの吸い取り口吸盤状のハの字型の吸い込み口
１３  接合部分
１４  逆止弁
１５  ポンプと配管の接続口
【図１】
2019141554.tif 000003
【図２】
2019141554.tif 000004
【手続補正書】
【提出日】平成30年8月30日(2018.8.30)
【手続補正１】
【補正対象書類名】明細書
【補正対象項目名】０００３
【補正方法】変更
【補正の内容】
【０００３】
【特許文献１】実開Ｓ５１−６８４６３
【特許文献２】特開２００３−３３９５８１
【手続補正書】
【提出日】平成30年12月17日(2018.12.17)
【手続補正１】
【補正対象書類名】特許請求の範囲
【補正対象項目名】請求項１
【補正方法】変更
【補正の内容】
【請求項１】
空気抜き弁［５］と設けた空気抜き弁［５］とを設けた空気溜め［４］は、直角に折り曲げられ、前記ポンプ［１］と前記空気溜め［４］とを、接続する配管［２］
と吸盤状の吸い口［１２］とを、
接続する吸い取り取り用配管［９］との接続部に設けられた、
逆上弁［１４］と有する事を有する事を特徴とする、
卓上ピンポイント掃除器。
更に請求項２前記吸い取り用配管［９］と掻取器［８］とを、
接続し前記掻取器［８］は前記吸い取り口［１２］の近くで、
回転自由に取り付けられている事を特徴とする、
卓上ピンポイント掃除器。
これが発明の効果です。
【手続補正２】
【補正対象書類名】特許請求の範囲
【補正対象項目名】請求項２
【補正方法】変更
【補正の内容】
【請求項２】
前記吸い取り用配管［９］と掻取器［８］とを接続し、
前記掻取器［８］が前記［１２］の近くで自由に、
取り付けられている。
引用文献１〜３については、請求項１の直角に空気溜めとポンプが、接続されているこの機能がありません。
本発明は［１２］の吸い口と［１］の空気袋を直角に配置して、ゴミを吸い取り易くしたものです。
本発明は持ち易さを特徴とした効果があります。
引用文献１には、吸い口、又は、吸引ポンプが直線的に配置されている為に、扱い難いものになっています。
引用文献４はいわゆる電気掃除機であり、吸い取り口も大きく、机上等のゴミ取には、扱い難いもので、電源も必要になります。
以上の通り、引用文献１〜４と構造上の違いがあります。
又先行技術文献の実願４９−１４３６６６号［実開昭５１−６８４６３］との、違いは手続補正書の２に記載されたものになっています。
本発明は格別の効果を有するので、
再度、特許査定をお願いいたします。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
ゴムで作られた袋状のポンプ（１）とドレン（３）と空気抜き弁（５）とを設けた空気留め（４）と、
前記空気留め（４）から第１の方向へのび、第２の方向へ直角に折り曲げられ、前記ポンプ（１）と前記空気留め（４）とを接続する配管（２）と、
吸盤状の吸い取り口（１２）と、
前記空気留め（４）から第１の方向の反対方向へのび，第２の方向に直角にのび、
前記吸盤状の吸い取り口（１２）と前記空気留め（４）とを接続する吸い取り用配管（９）と、
前記空気留め（４）と前記吸い取り用配管（９）との接続部に設けられた逆上弁（１４）と、
前記吸い取り用配管（９）とは独立して、前記空気留め（４）から第１の方向の反対方向にのび、第２の方向へ直角にのび、前記吸盤状の吸い取り口（１２）の近くで回転自由に取り付けられている掻取器（８）を有する事を特徴とするピンポイント卓上ピンポイント掃除器。